(57)【要約】【課題】  ユーザの繰り返し操作により対応するコンテンツ再生装置を提供する。【解決手段】  スキップ再生動作が可能なコンテンツ再生装置において、コンテンツの再生位置から所定時間先の位置のコンテンツを読み出すべく制御する制御部と、前記制御部により読み出されたコンテンツのデータを記録媒体に記録する記録制御手段と、ユーザに入力されたスキップ指示に基づいて、前記記録媒体に既に記録された前記データを再生する再生処理部とを具備することを特徴とするコンテンツ再生装置。【選択図】      図４
2009010739.tif 000002
【特許請求の範囲】
【請求項１】
スキップ再生動作が可能なコンテンツ再生装置において、
コンテンツの再生位置から所定時間先の位置のコンテンツを読み出すべく制御する制御部と、
前記制御部により読み出されたコンテンツのデータを記録媒体に記録する記録制御手段と、
ユーザに入力されたスキップ指示に基づいて、前記記録媒体に既に記録された前記データを再生する再生処理部とを
具備することを特徴とするコンテンツ再生装置。
【請求項２】
読み出されたデータをデコードし、現在の映像とスキップ地点の映像を同時に動画として再生することを特徴とする請求項１記載のコンテンツ再生装置。
【請求項３】
前記動画として再生している画像の中からユーザに入力されたスキップ指示に基づいて、このスキップの動作に対応する画像を表示することを特徴とする請求項２記載のコンテンツ再生装置。
【請求項４】
前記動画として再生している画像の中からユーザに入力された特殊再生指示に基づいて、前記同時に動画として再生している画像に前記特殊再生の対応動作を施すことを特徴とする請求項２記載のコンテンツ再生装置。
【請求項５】
更に前記再生されたデータの画像を表示する手段を具備することを特徴とする請求項１記載のコンテンツ再生装置。
【発明の詳細な説明】
【技術分野】
【０００１】
本発明は、例えば放送コンテンツを受信・記録する装置に係わり、特にコンテンツ再生装置に関する。
【背景技術】
【０００２】
最近、デジタル機器の普及と共にハードディスクレコーダ等の放送を受信し記録する言わば放送記録装置が一般化しつつあり、従来のＶＴＲ（Video Tape Recorder）による記録再生処理の場合よりも、多くの映像情報を容易に記録・再生することが可能となってきている。このような放送記録装置においては、簡易な操作によって予約録画等が可能となるが、他方で再生操作がユーザにとって十分に利便性の高いものでない場合がある。
【０００３】
特許文献１には、このような状況に対して、例えば、直前のリードでアクセスされた領域と、現リードで要求された領域のアクセス方向と領域間距離、領域サイズを検出して、データの先読みを行うディスクメモリの位置とサイズを決定するという記録装置が開示されている。
【０００４】
しかし、特許文献１の装置においては、既に直前のリードでアクセスされた領域の部分についてはキャッシュにデータが残されていることにより、次回のリードのための先読みが装置でセーブできたとしても、未だリード命令の無い部分については、先読みを行えないという問題がある。やはりまだ例えばユーザの繰り返し操作に対応することが充分でないという状況も発生しうる。
【特許文献１】特開２００１−２８５８０５号公報
【発明の開示】
【発明が解決しようとする課題】
【０００５】
そこで、この発明は、ユーザの繰り返し操作により対応するコンテンツ再生装置を提供することを目的とする。
【課題を解決するための手段】
【０００６】
この発明に係るコンテンツ再生装置は、スキップ再生動作が可能なコンテンツ再生装置において、コンテンツの再生位置から所定時間先の位置のコンテンツを読み出すべく制御する制御部と、前記制御部により読み出されたコンテンツのデータを記録媒体に記録する記録制御手段と、ユーザに入力されたスキップ指示に基づいて、前記記録媒体に既に記録された前記データを再生する再生処理部とを具備することを特徴とするコンテンツ再生装置である。
【発明の効果】
【０００７】
本発明によれば、ユーザの繰り返し操作により対応するコンテンツ再生装置が得られる。
【発明を実施するための最良の形態】
【０００８】
以下、本発明の実施例を説明する。
【実施例１】
【０００９】
本発明による実施例１を図１乃至図６を参照して説明する。
図１は、本発明の一実施形態に係る放送記録装置の構成の一例を示すブロック図である。図１の放送記録装置１０は構成の一例として、チューナ等をソースとして記録機能を有するデジタルテレビジョンである。しかしながら、チューナ等と記録機能とをもったハードディスクレコーダも同様に好適である。
【００１０】
従って、以下の図１を用いた実施形態の説明においては、記録機能をもったデジタルテレビジョンとして詳細に説明を行なうが、図１からディスプレイ２６を分離することで、全く同様の機能をもったハードディスクレコーダとしての説明と解釈することが可能である。
【００１１】
図１において、デジタルテレビジョンである放送記録装置１０は、２種類のディスクドライブを有する。第1のメディアとしてハードディスクＨを駆動するハードディスクドライブ部１８と、第２のメディアとしてビデオファイルを構築できる情報記録媒体である光ディスクＤを回転駆動し、情報の読み書きを実行する光ディスクドライブ部１９を有している。又、制御部３０は、全体の動作を司るべくデータバスＢを介して各部に接続されている。しかし、本発明を実施する場合において、光ディスクドライブ部１９は必ずしも必要な構成ではない。
【００１２】
又、図１の放送記録装置１０は、録画側を構成するエンコーダ部２１と、再生側を構成するＭＰＥＧデコーダ部２３と、装置本体の動作を制御する制御部３０とを主たる構成要素としている。放送記録装置１０は、入力側のセレクタ１６と出力側のセレクタ１７とを有しており、入力側のセレクタ１６には、ＬＡＮ等の通信部１１と、いわゆる衛星放送（ＢＳ／ＣＳ）デジタル／アナログチューナ部１２と、いわゆる地上波デジタル／アナログチューナ部１３とが接続され、エンコーダ部２１に信号を出力する。又、ＢＳ／ＣＳデジタル／アナログチューナ部１２には衛星アンテナが、地上波デジタル／アナログチューナ部１３には地上波アンテナが接続されている。又、放送記録装置１０は、エンコーダ部２１と、エンコーダ部２１の出力を受け、データ編集等の所望のデータ処理を行う信号編集部２０、信号編集部２０に接続されるハードディスクドライブ部１８、光ディスクドライブ部１９を有している。更に、放送記録装置１０は、ハードディスクドライブ部１８、光ディスクドライブ部１９からの信号を受けてデコードするＭＰＥＧデコーダ部２３のバッファ部２２、多重化部２８、分離部２９、関連コンテンツ制御部４２、予約録画部・番組表生成部５６を有している。これらの各部は、データバスＢを介して制御部３０に接続されている。更に、セレクタ１７の出力は、ディスプレイ２６に供給されるか、外部装置との通信を行うインタフェース部２７を介して、外部装置に供給される。
【００１３】
更に、放送記録装置１０は、データバスＢを介して制御部３０に接続され、ユーザの操作やリモコンＲの操作を受ける操作部３２を有している。ここで、リモコンＲは、放送記録装置１０の本体に設けられる操作部３２とほぼ同等の操作を可能とするものであり、ハードディスクドライブ部１８や光ディスクドライブ部１９の記録再生指示や、編集指示、又、チューナの操作、予約録画の設定等、各種設定が可能である。図２は、放送記録装置を操作するための図１リモコンＲの一例を示す外観図である。
【００１４】
図３は、放送記録装置の図１の構成の部分ブロック図である。予約録画部・番組表生成部５６の詳細を表している。
予約録画部・番組表生成部５６においては、録画を実現する大きな録画制御部として、予約番組録画制御部５６ａと、一時保存録画制御部５６ｂがある。予約録画部・番組表生成部５６は、予約番組録画制御部５６ａによる録画番組を予め予約して記録媒体に記録する機能と、後述するように一時保存録画制御部５６ｂによって実行されるスキップ機能等を有する。予約番組録画制御部５６ａも、一時保存録画制御部５６ｂもタイマーを参照する。予約番組録画制御部５６ａは、電子番組表を用いて作成される録画予約情報が参照されて、予約番組の自動録画を実現するための制御部である。一方、一時保存録画制御部５６ｂは、スキップ機能が実施されることにより、録画番組のスキップ再生を実現するための制御部である。
【００１５】
一時保存録画制御部５６ｂは、さらにその機能ブロックを分類すると、映像出力制御部５６ｂ１がある。この映像出力制御部５６ｂ１は、装置の操作状態及び動作状況に応じて、ユーザが現在の動作状態を認識しやすいように画面の内容をコントロールするものである。録画動作制御部５６ｂ２は、録り忘れ録画機能が制御部３０から指示されたときに、一時保存録画を実現するための制御部である。さらに、再生動作制御部５６ｂ３は、一時保存録画されたコンテンツを再生する場合、追っかけ再生、或いは早送り再生、或いはスキップ再生を実現するための制御部である。広義のスキップ再生としては、以下に詳述する狭義のスキップ再生と戻り再生とがある。
【００１６】
予約録画部・番組表生成部５６には、操作入力判別部５６ｄが設けられている。この操作入力判別部５６ｄからの判別結果に応じて、一時保存録画制御部５６ｂの動作が決定されることは当然である。
【００１７】
（コンテンツ）
操作対象コンテンツは、市販のDVDに予め収められているものを光ディスクＤとして装着して利用してもよいし、以下のように録画されていてもよい。
まず一般的な記録処理時の動作について説明する。放送記録装置１０の入力側として、ＬＡＮ等の通信部１１は、外部機器と接続して、例えばモデム等を介しインターネット等の通信路を経由して番組情報提供サーバ等と通信を行ったり、放送コンテンツ等をダウンロードしたりする。又、ＢＳ／ＣＳデジタル／アナログチューナ部１２、地上波デジタル／アナログチューナ部１３は、アンテナを介して放送信号を選局し復調して映像信号及び音声信号を入力するもので、広範な種類の放送信号に対応する。例えば、地上波アナログ放送、地上波デジタル放送、ＢＳアナログ放送、ＢＳデジタル放送、ＣＳデジタル放送等に及ぶものであり、これに限るものではない。又、必ずしも一つだけを設けるものではなく、例えば、地上波放送のチューナ部や、ＢＳ／ＣＳチューナ部を２つ又は３つ以上を有し、予約録画の要求に応じて平行して機能させる場合も含んでいる。又、先の通信部１１は、ＩＥＥＥ１３９４インタフェースであってもよく、ネットワーク上の外部機器からデジタルコンテンツを受けることが可能である。又、図示しない入力端部から、輝度信号や色差信号、コンポジット等の映像信号、音声信号を受けることも可能である。これらは、制御部３０等で制御されるセレクタ１６により、入力が制御されて、エンコーダ部２１に選択的に供給される。エンコーダ部２１は、セレクタ１６により入力されたアナログビデオ信号やアナログオーディオ信号をデジタル化するビデオ用及びオーディオ用のアナログデジタルコンバータと、ビデオエンコーダと、オーディオエンコーダとを有する。更に、副映像エンコーダも含む。エンコーダ部２１の出力は、所定のＭＰＥＧ等の圧縮フォーマットに変換され、先の制御部３０に供給される。又、ＢＳ／ＣＳアナログ／デジタルチューナ１２等は、必ずしも内蔵されている必要はなく、データ入力端子を介して外付けされて、受信したデジタル信号をセレクタ部１６を介してエンコーダ部２１や制御部３０に供給することも好適である。
【００１８】
ここで図１の装置は、エンコーダ部２１でエンコードされた情報（ビデオ、オーディオ、副映像データなどのパック）及び作成された管理情報を、制御部３０を介してハードディスクドライブ部１８又は光ディスクドライブ部１９に供給し、ハードディスクＨ、又は、光ディスクＤに記録することができる。又、ハードディスクＨや光ディスクＤに記録された情報を、制御部３０、光ディスクドライブ部１９を介して光ディスクＤやハードディスクドライブ部１８を介してハードディスクＨに記録することもできる。
【００１９】
信号編集部２０により、ハードディスクドライブ部１８や光ディスクＤに記録されている複数番組のビデオ・オブジェクトを、一部削除したり、異なる番組のオブジェクトをつなげたり、といった編集処理を行うこともできる。
【００２０】
次に予約録画処理を説明すると、通信部１１やチューナ１２，１３から取得した電子番組情報に基づいて、予約録画部・番組表生成部５６によりユーザのリモコンＲ等の操作により特定した番組に応じて、録画予約処理が可能であると共に、取得した電子番組情報に基づく番組表を画面表示することが可能となる。又、予約された予約録画情報に基づいて、制御部３０及び予約録画部・番組表生成部５６の働きにより、予約時刻になると、ＢＳ／ＣＳデジタル／アナログチューナ部１２又は地上波デジタル／アナログチューナ部１３が受信した番組情報が復調された映像音声信号が、エンコーダ２１等のエンコード処理を経て、例えば、ハードディスク部Ｈに記録（予約録画）される。この実施形態の放送記録装置１０は、このように総合的な機能を有しており、複数のソースに対して光ディスクＤ又はハードディスク部Ｈによる記録・再生処理を行うものである。
【００２１】
図４は、本実施例の機能ブロック図である。ストレージＳは、ハードディスクＨまたは光ディスクＤに相当する。戻り画像読み出し部１０１は、再生動作制御部５６ｂ３の戻り再生の指示でＲＡＭ５８上に戻り再生する対象画像を生成する部分である。現在画像読み出し部１０２は、ＲＡＭ５８上に現在の画像を生成する部分である。スキップ画像読み出し部１０３は、再生動作制御部５６ｂ３のスキップ再生の指示でＲＡＭ５８上にスキップ再生する対象画像を生成する部分である。入出力切り替え部１０４は、これら３つの読み出し部の画像を切り替え音声映像処理部２４を対応する３つの画像に係わる戻り画像生成部１０５又は現在画像生成部１０６又はスキップ画像生成部１０７として機能させるものである。表示画面合成部１０８は、セレクタ部１７に相当する。制御部１０９は、操作入力判別部５６ｄからの操作指示に基づき再生動作制御部５６ｂ３が入出力切り替え部１０４へ入出力指示を行うものである。
【００２２】
図５は、一時保存録画制御部５６ｂの制御の元で実行される動作及び機能をフローチャートとして示している。装置の電源投入後などにまずスキップ操作の有無が確認される（ステップＳ１）。このスキップ操作は、操作入力判別部５６ｄから操作指示される。スキップ操作が有りと判断された場合は先読み済みかが判定される（ステップＳ２）。先読み済みでない場合は現在画像をスキップし（ステップＳ３）先読みを開始し（ステップＳ４）、先読み済みの場合とともにスキップ画像を現在画像に切り替える（ステップＳ５）。
【００２３】
画面表示を表す図６（ａ）で画像データがA戻り画像、B現在画像、Cスキップ画像であり、図６（ｂ）スキップのようにスキップ画像Cが新たな現在画像となる。一般には既定値としては、所定の時間差としてAはBの１０秒前、CはBの３０秒後の画像といったものであるが、同じに例えば１５秒とユーザ設定しても差し支えない。
【００２４】
図５の説明に戻り、ステップＳ５で画像Cが新たな現在画像となったことに続き次のスキップ画像、次の戻り画像のそれぞれを読み込み開始し（ステップＳ６、Ｓ７）、ステップＳ１へ戻る。
【００２５】
ステップＳ１でスキップ操作が有りと判断されない場合は次に戻り操作の有無が確認される（ステップＳ８）。戻り操作が有りと判断された場合は、ステップＳ２〜ステップＳ５と同様に今度は戻り画像に関しステップＳ９〜ステップＳ１２の処理が行われる。図６（ｂ）戻りのように戻り画像Aが新たな現在画像となる。
【００２６】
ステップＳ８で戻り操作が有りと判断されない場合は次にスキップと戻りの両方の先読み済みが確認される（ステップＳ１３）。済みならステップＳ１へ戻り、そうでなければタイムアウトでなければ先読みが継続され（ステップＳ１４、Ｓ１５）、タイムアウトならば先読みが停止され（ステップＳ１６）、いずれの場合もステップＳ１へ戻る。
【実施例２】
【００２７】
本発明による実施例２を図１乃至図３及び図７乃至図９を参照して説明する。実施例１と共通する部分は説明を省略する。
図７は、機能ブロック図である。ストレージＳは、ハードディスクＨまたは光ディスクＤに相当する。戻り画像読み出し部２０１は、再生動作制御部５６ｂ３の戻り再生の指示でＲＡＭ５８上に戻り再生する対象画像を生成する部分である。現在画像読み出し部２０２は、ＲＡＭ５８上に現在の画像を生成する部分である。スキップ画像読み出し部２０３は、再生動作制御部５６ｂ３のスキップ再生の指示でＲＡＭ５８上にスキップ再生する対象画像を生成する部分である。入出力切り替え部２０４は、これら３つの読み出し部の画像を切り替えＭＰＥＧデコーダ部２３を対応する３つの画像に係わる戻り画像デコーダ２０５又は現在画像デコーダ２０６又はスキップ画像デコーダ２０７として機能させるものである。デコーダ‐表示割当切替部２０８は、音声映像処理部２４に相当する。表示画面合成部２０９は、セレクタ部１７に相当する。制御部２０９は、操作入力判別部５６ｄからの操作指示に基づき再生動作制御部５６ｂ３が入出力切り替え部２０４へ入出力指示を行うものである。
【００２８】
図８は、一時保存録画制御部５６ｂの制御の元で実行される動作及び機能をフローチャートとして示している。装置の電源投入後などにまずスキップ操作の有無が確認される（ステップＳ２１）。このスキップ操作は、操作入力判別部５６ｄから操作指示される。スキップ操作が有りと判断された場合は、スキップ画面１用デコーダを現在画面デコーダとして割り当てることでスキップ画面デコードデータを現在の動画面入力として切り替える（ステップＳ２２）。
【００２９】
画面表示を表す図９（ａ）は、表示対象画像データがA〜Eへと時間順に存在することを表している。図９（ｂ）は画面表示ボタン等で出された現在の画面のB戻り画像、C現在画像、Dスキップ画像が、ここではスキップ操作によってC戻り画像、D現在画像、Eスキップ画像へと移行することを表している。現在の画面の表示を選択している状態において決定操作を行うかまたはタイムアウトならば現在画像のプレイが再開される。
【００３０】
図８の説明に戻り、ステップＳ２２で画像Dが新たな現在画像の対象となったことに続き、現在画面用デコーダを戻り画面用デコーダに割り当て、戻り画面用デコーダをスキップ画面入力デコーダとして割り当て（ステップＳ２３）、ステップＳ２１へ戻る。
【００３１】
ステップＳ２１でスキップ操作が有りと判断されない場合は次に戻り操作の有無が確認される（ステップＳ２４）。戻り操作が有りと判断された場合は、ステップＳ２２〜ステップＳ２３と同様に今度は戻り画像に関しステップＳ２５〜ステップＳ２６の処理が行われる。図９（ｂ）戻りのように戻り画像Bが新たな現在画像の対象となる。
【００３２】
ステップＳ２４で戻り操作が有りと判断されない場合は次に決定操作の有無が確認される（ステップＳ２７）。無しならば先読みが継続され（ステップＳ２８）ステップＳ２１へ戻り、有りならば先読みが停止され（ステップＳ２９）通常再生の画面表示にして（ステップＳ３０）処理を終了する。
【実施例３】
【００３３】
本発明による実施例３を図１乃至図３及び図１０乃至図１２を参照して説明する。実施例１、２と共通する部分は説明を省略する。
図１０は、機能ブロック図である。ストレージＳは、ハードディスクＨまたは光ディスクＤに相当する。第2戻り画像読み出し部３０１と第１戻り画像読み出し部３０２は、再生動作制御部５６ｂ３の戻り再生の指示でＲＡＭ５８上に戻り再生する対象画像を生成する部分である。現在画像読み出し部３０３は、ＲＡＭ５８上に現在の画像を生成する部分である。第１スキップ画像読み出し部３０４と第２スキップ画像読み出し部３０５は、再生動作制御部５６ｂ３のスキップ再生の指示でＲＡＭ５８上にスキップ再生する対象画像を生成する部分である。入出力切り替え部３０６は、これら５つの読み出し部の画像を切り替えＭＰＥＧデコーダ部２３を対応する５つの画像に係わる第２戻り画像デコーダ307又は第１戻り画像デコーダ３０８又は現在画像デコーダ３０９又は第１スキップ画像デコーダ３１０又は第２スキップ画像デコーダ３１１として機能させるものである。デコーダ‐表示割当切替部３１２は、音声映像処理部２４に相当する。表示画面合成部３１３は、セレクタ部１７に相当する。制御部３１４は、操作入力判別部５６ｄからの操作指示に基づき再生動作制御部５６ｂ３が入出力切り替え部３０６へ入出力指示を行うものである。
【００３４】
図１１は、一時保存録画制御部５６ｂの制御の元で実行される動作及び機能をフローチャートとして示している。装置の電源投入後などにまずスキップ操作の有無が確認される（ステップＳ３１）。このスキップ操作は、操作入力判別部５６ｄから操作指示される。スキップ操作が有りと判断された場合は、スキップ画面１用デコーダを現在の画面デコーダとして割り当てることでスキップ画面１用デコードデータを現在の動画面入力として切り替える（ステップＳ３２）。
【００３５】
画面表示を表す図１２（ａ）は、表示対象画像データがA〜Fへと時間順に存在することを表している。例えばスキップは戻りの２倍の時間長として、図１２（ｂ）は操作において現在の画面のB第２戻り画像、B＋第１戻り画像、C現在画像、D第１スキップ画像、E第２スキップ画像が、ここではスキップ操作によってC第２戻り画像、C＋第１戻り画像、D現在画像、E第１スキップ画像、F第２スキップ画像へと移行することを表している。現在の画面の表示を選択している状態において決定操作を行うかまたはタイムアウトならば現在画像のプレイが再開される。
【００３６】
図１１の説明に戻り、ステップＳ３２で画像Dが新たな現在画像の対象となったことに続き、戻り画面１用デコーダをスキップ画面２用デコーダに割り当て、現在画面デコーダを戻り画面１用デコーダに割り当て、スキップ画面２用デコーダをスキップ画面１用デコーダ用に割り当てる（ステップＳ３３）。次に戻り画面１用のデータ先読み位置を変更して先読みを開始し、スキップ画面２用のデータ先読み位置を変更して先読みを開始し（ステップＳ３４）、ステップＳ３１へ戻る。
【００３７】
ステップＳ３１でスキップ操作が有りと判断されない場合は次に戻り操作の有無が確認される（ステップＳ３５）。戻り操作が有りと判断された場合は、ステップＳ３２〜ステップＳ３４と同様に今度は戻り画像に関しステップＳ３６〜ステップＳ３８の処理が行われる。図１２（ｂ）戻りのように戻り画像B＋が新たな現在画像の対象となる。
【００３８】
ステップＳ３５で戻り操作が有りと判断されない場合は次に決定操作の有無が確認される（ステップＳ３９）。無しならば先読みが継続され（ステップＳ４０）ステップＳ３１へ戻り、有りならば先読みが停止され（ステップＳ４１）通常再生の画面表示にして（ステップＳ４２）処理を終了する。
【００３９】
以上の実施例では、課題である録画等のコンテンツ再生時に頻繁に繰り返されることの多い定間隔スキップ＆戻り動作を極力速く操作できるようにした。
なお、この発明は上記実施例に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００４０】
【図１】本発明の一実施形態に係る放送記録装置の構成の一例を示すブロック図。
【図２】同じく放送記録装置を操作するためのリモコン装置の一例を示す外観図。
【図３】図１の構成の部分ブロック図。
【図４】一実施形態に係る機能ブロック図。
【図５】一実施形態に係る一時保存録画制御部５６ｂの制御関連フローチャート。
【図６】同じく一実施形態に係る画面表示処理の一例を示す説明図。
【図７】第二の実施形態に係る機能ブロック図。
【図８】第二の実施形態に係る一時保存録画制御部５６ｂの制御関連フローチャート。
【図９】同じく第二の実施形態に係る画面表示処理の一例を示す説明図。
【図１０】第三の実施形態に係る機能ブロック図。
【図１１】第三の実施形態に係る一時保存録画制御部５６ｂの制御関連フローチャート。
【図１２】同じく第三の実施形態に係る画面表示処理の一例を示す説明図。
【符号の説明】
【００４１】
１１…通信部、１２…ＢＳ／ＣＳデジタル／アナログチューナ部、１３…地上波デジタル／アナログチューナ部、１９…光ディスクドライブ部、２０…信号編集部、２１…エンコーダ部、２２…バッファ部、２３…ＭＰＥＧデコーダ部、２４…音声映像処理部、２６…ディスプレイ、２７…Ｉ／Ｆ部、２８…多重化部、２９…分離部、３０…制御部、３２…操作部、３３…表示部、Ｒ…リモコン、４２…関連コンテンツ制御部、５６…予約録画部・番組表生成部、５７…ＲＯＭ、５８…ＲＡＭ、５９…不揮発性メモリ。
【図１】
2009010739.tif 000003
【図２】
2009010739.tif 000004
【図３】
2009010739.tif 000005
【図４】
2009010739.tif 000006
【図５】
2009010739.tif 000007
【図６】
2009010739.tif 000008
【図７】
2009010739.tif 000009
【図８】
2009010739.tif 000010
【図９】
2009010739.tif 000011
【図１０】
2009010739.tif 000012
【図１１】
2009010739.tif 000013
【図１２】
2009010739.tif 000014